【手続補正書】
【提出日】平成24年6月22日(2012.6.22)
【手続補正１】
【補正対象書類名】特許請求の範囲
【補正対象項目名】全文
【補正方法】変更
【補正の内容】
【特許請求の範囲】
【請求項１】
時分割多重方式と波長分割多重方式との両方を利用して単一光ファイバーを通して複数の独立したデータパッケージを送信する方法であって、前記方法が、
第１波長で単一光ファイバーを通して第１データチャネルで第１データパッケージを送受信するステップと、
第２波長で同じ光ファイバーを通して第２データチャネルで第２データパッケージを送受信するステップであって、第２データチャネルでの第２データパッケージの送信は、第１データチャネルでの第１データパッケージの送信と並行して行ってもよい、第２データパッケージを送受信するステップと、
データパッケージ送信を２本の光路に分離するステップと、
２本の光路のうちの１本目から第２波長をフィルタリングするステップと、
第１波長で第１データパッケージを検出するステップと、
２本の光路のうちの２本目から第１波長をフィルタリングするステップと、
第２波長で第２データパッケージデータを検出するステップと
を含む方法。
【請求項２】
第１データチャネルで送受信される第１データパッケージが、第１方向の１つ以上のセンサデータと、反対方向の制御データとを含み、かつ、
第２データチャネルで送受信される第２データパッケージが、第１方向の１つ以上のソフトウェアコンフィギュレーションデータ（１３２）と、反対方向の健康維持データ（１３４）とを含む、請求項１に記載の方法。
【請求項３】
データ送信を２本の光路に分離するステップが、２つの光出力を提供するよう構成された単一ファイバー（１４０、１４２）に光結合器（１２）を接続することを含む、請求項１に記載の方法。
【請求項４】
２本の光路のうちの１本目から第２波長をフィルタリングするステップが、２本の光路のうちの１本目に関連付けられている光検出器（３２、５２）入力から第２波長をフィルタリングすることを含み、かつ、
２本の光路のうちの２本目から第１波長をフィルタリングするステップが、２本の光路のうちの２本目に関連付けられている光検出器入力から第１波長をフィルタリングすることを含む、請求項１に記載の方法。
【請求項５】
第１波長での通信用に構成された第１光送信機（３０）−受信機対（３２）と、
第２波長での通信用に構成された第２光送信機（５０）−受信機対（５２）と、
前記第１光送信機−受信機対および前記第２光送信機−受信機対からの光信号を結合し、結合された光信号を前記光結合器（１２）から単一光ファイバーへと送るよう構成された前記光結合器（１２）と
を含む光送受信機（１０）。
【請求項６】
前記第１光送信機(３０)−受信機対（３２）がフィルター（２０）を含み、前記フィルターが、前記第１光送信機−受信機対の送信部からの光信号を通し、前記第１光送信機−受信機対の受信部へ第１波長の光信号を通し、第２波長の光信号が前記第１光送信機−受信機対の受信部に当たるのを防ぐよう構成されている、請求項５に記載の光送受信機（１０）。
【請求項７】
前記第２光送信機(５０)−受信機対（５２）がフィルター（２０）を含み、前記フィルターが、前記第２光送信機−受信機対の送信部からの光信号を通し、前記第２光送信機−受信機対の受信部へ第２波長の光信号を通し、第１波長の光信号が前記第２光送信機−受信機対の受信部に当たるのを防ぐよう構成されている、請求項５に記載の光送受信機（１０）。
【請求項８】
前記光結合器が、
前記第１光送信機(３０)−受信機対（３２）および前記第２光送信機(５０)−受信機対（５２）から受信した光信号を合成し、
単一光ファイバーから受信した信号を２本の別々の光路へと分離する
よう構成されている、請求項５に記載の光送受信機。
【請求項９】
アビオニクスユニットであって、
処理装置(１１０、１１２)と、
前記処理装置に関連付けられたコンピュータメモリであって、少なくとも、前記ユニットに関連付けられたアプリケーションデータ(１３０)、前記ユニットに関連付けられた健康維持データ(１３４)および前記ユニットに関連付けられたコンフィギュレーションデータ(１３２)を保存するよう構成されているコンピュータメモリと、
第１波長での通信用に構成された第１光送信機(３０)−受信機対(３２)と、第２波長での通信用に構成された第２光送信機(５０)−受信機対(５２)とを含む光送受信機(１０)と、
前記第１光送信機(３０)−受信機対（３２）および前記第２光送信機(５０)−受信機対（５２）から受信した光信号を合成し、単一光ファイバーへの出力とし、単一光ファイバーから受信した信号を２本の別々の光路へと分離するように構成された光結合器（１２）と、
前記処理装置と前記光送受信機との間の通信インタフェース、前記第１光送信機−受信機対を介して前記処理装置から送信され、かつこれにより受信されるアプリケーションデータ（１３０）、前記第２光送信機−受信機対を介して前記処理装置により受信されるコンフィギュレーションデータ（１３２）、および前記第２光送信機−受信機対を介して前記処理装置から送信される健康維持データ（１３４）を同時に提供するよう構成された少なくとも１つの通信制御装置(１２０、１２２)と
を含むアビオニクスユニット。
【請求項１０】
前記少なくとも１つの通信制御装置を介して前記処理装置に通信結合されている複数の前記光送受信機（１２、１４、１０２、１０４）を含む、請求項９に記載のアビオニクスユニット。
【請求項１１】
前記第１光送信機（３０）−受信機対（３２）が第１フィルター（４０）を含み、前記第１フィルターが、前記第１光送信機−受信機対の送信部からの光信号を通し、前記第１光送信機−受信機対の受信部へ第１波長の光信号を通し、第２波長の光信号が前記第１光送信機−受信機対の受信部に当たるのを防ぐよう構成されており、かつ、
前記第２光送信機（５０）−受信機対（５２）が第２フィルター（６０）を含み、前記第２フィルターが、前記第２光送信機−受信機対の送信部からの光信号を通し、前記第２光送信機−受信機対の受信部へ第２波長の光信号を通し、第１波長の光信号が前記第２光送信機−受信機対の受信部に当たるのを防ぐよう構成されている、
請求項９に記載のアビオニクスユニット。
【手続補正２】
【補正対象書類名】明細書
【補正対象項目名】００３８
【補正方法】変更
【補正の内容】
【００３８】
本記述は、実施例を用いて、最良の形態を含む本発明を開示し、かつ、あらゆる当業者が、あらゆる装置またはシステムを作成し、使用すること、および、あらゆる採用された方法を行うことを含む本発明を実施できるようにもしている。本発明の特許性のある範囲は、請求項により規定されており、かつ、当業者が想到するその他の実施例を含んでいてもよい。そのような他の実施例は、請求項の文言と異なることのない構成要素を有している場合、または、請求項の文言との実質的でない差異を有する同等の構成要素を含んでいる場合は、請求の範囲内であると意図されている。
また、本発明は以下に記載する態様を含む。
（態様１）
時分割多重方式と波長分割多重方式との両方を利用して単一光ファイバーを通して複数の独立したデータパッケージを送信する方法であって、前記方法が、
第１波長で単一光ファイバーを通して第１データパッケージを送信することと、
第１データパッケージと同じ方向か反対の方向のいずれかにおいて、第２波長で同じ光ファイバーを通して第２データパッケージを送信することであって、第２データパッケージの送信は、第１データパッケージの送信と並行して行ってもよい、第２データパッケージを送信することと、
データパッケージ送信を２本の光路に分離することと、
２本の光路のうちの１本目から第２波長をフィルタリングすることと、
第１波長で第１データパッケージを検出することと、
２本の光路のうちの２本目から第１波長をフィルタリングすることと、
第２波長で第２データパッケージデータを検出することと
を含む方法。
（態様２）
第１データパッケージを送信することが、第１方向において１つ以上のセンサデータを、反対方向において制御データを、それぞれ送信することを含み、かつ、
第１データパッケージを送信することが、第１方向において１つ以上のソフトウェアコンフィギュレーションデータ（１３２）を、反対方向において健康維持データ（１３４）を、それぞれ送信することを含む、態様１に記載の方法。
（態様３）
データ送信を２本の光路に分離することが、２つの光出力を提供するよう構成された単一ファイバー（１４０、１４２）に光結合器（１２）を接続することを含む、態様１に記載の方法。
（態様４）
２本の光路のうちの１本目から第２波長をフィルタリングすることが、２本の光路のうちの１本目に関連付けられている光検出器（３２、５２）入力から第２波長をフィルタリングすることを含み、かつ、
２本の光路のうちの２本目から第１波長をフィルタリングすることが、２本の光路のうちの２本目に関連付けられている光検出器入力から第１波長をフィルタリングすることを含む、態様１に記載の方法。
（態様５）
第１波長での通信用に構成された第１光送信機（３０）−受信機対（３２）と、
第２波長での通信用に構成された第２光送信機（５０）−受信機対（５２）と、
前記第１光送信機−受信機対および前記第２光送信機−受信機対からの光信号を結合し、結合された光信号を前記光結合器（１２）から単一光ファイバーへと送るよう構成された前記光結合器（１２）と
を含む光送受信機（１０）。
（態様６）
前記第１光送信機(３０)−受信機対（３２）がフィルター（２０）を含み、前記フィルターが、前記第１光送信機−受信機対の送信部からの光信号を通し、前記第１光送信機−受信機対の受信部へ第１波長の光信号を通し、第２波長の光信号が前記第１光送信機−受信機対の受信部に当たるのを防ぐよう構成されている、態様５に記載の光送受信機（１０）。
（態様７）
前記第２光送信機(５０)−受信機対（５２）がフィルター（２０）を含み、前記フィルターが、前記第２光送信機−受信機対の送信部からの光信号を通し、前記第２光送信機−受信機対の受信部へ第２波長の光信号を通し、第１波長の光信号が前記第２光送信機−受信機対の受信部に当たるのを防ぐよう構成されている、態様５に記載の光送受信機（１０）。
（態様８）
前記光結合器が、
前記第１光送信機(３０)−受信機対（３２）および前記第２光送信機(５０)−受信機対（５２）から受信した光信号を合成し、
単一光ファイバーから受信した信号を２本の別々の光路へと分離する
よう構成されている、態様５に記載の光送受信機。
（態様９）
アビオニクスユニットであって、
処理装置(１１０、１１２)と、
前記処理装置に関連付けられたコンピュータメモリであって、少なくとも、前記ユニットに関連付けられたアプリケーションデータ(１３０)、前記ユニットに関連付けられた健康維持データ(１３４)および前記ユニットに関連付けられたコンフィギュレーションデータ(１３２)を保存するよう構成されているコンピュータメモリと、
第１波長での通信用に構成された第１光送信機(３０)−受信機対(３２)と、第２波長での通信用に構成された第２光送信機(５０)−受信機対(５２)とを含む光送受信機(１０)と、
前記処理装置と前記光送受信機との間の通信インタフェース、前記第１光送信機−受信機対を介して前記処理装置から送信され、かつこれにより受信されるアプリケーションデータ（１３０）、前記第２光送信機−受信機対を介して前記処理装置により受信されるコンフィギュレーションデータ（１３２）、および前記第２光送信機−受信機対を介して前記処理装置から送信される健康維持データ（１３４）を同時に提供するよう構成された少なくとも１つの通信制御装置(１２０、１２２)と
を含むアビオニクスユニット。
（態様１０）
前記少なくとも１つの通信制御装置を介して前記処理装置に通信結合されている複数の前記光送受信機（１２、１４、１０２、１０４）を含む、態様９に記載のアビオニクスユニット。
（態様１１）
前記第１光送信機（３０）−受信機対（３２）が第１フィルター（４０）を含み、前記第１フィルターが、前記第１光送信機−受信機対の送信部からの光信号を通し、前記第１光送信機−受信機対の受信部へ第１波長の光信号を通し、第２波長の光信号が前記第１光送信機−受信機対の受信部に当たるのを防ぐよう構成されており、かつ、
前記第２光送信機（５０）−受信機対（５２）が第２フィルター（６０）を含み、前記第２フィルターが、前記第２光送信機−受信機対の送信部からの光信号を通し、前記第２光送信機−受信機対の受信部へ第２波長の光信号を通し、第１波長の光信号が前記第２光送信機−受信機対の受信部に当たるのを防ぐよう構成されている、
態様９に記載のアビオニクスユニット。
（態様１２）
前記光送受信機（１０）が、
前記第１光送信機（３０）−受信機対（３２）および前記第２光送信機（５０）−受信機対（５２）から受信された光信号を合成して、単一光ファイバーへの出力とし、
光ファイバーから受信された信号を２本の別々の光路へと分離する
よう構成されている光結合器（１２）を含む、態様９に記載のアビオニクスユニット。
（態様１３）
単一光ファイバーにより完全アビオニクスデータサービスを提供するための航空機ネットワークであって、
光インタフェースを含む第１アビオニクスユニットと、
光インタフェースを含む第２アビオニクスユニットと、
前記第１アビオニクスユニットと前記第２アビオニクスユニットとの間の通信経路の少なくとも一部を提供するよう構成された単一光ファイバーであって、前記光インタフェースの各々が、第１波長での通信用に構成された第１光送信機（３０）−受信機対（３２）と、第２波長での通信用に構成された第２光送信機（５０）−受信機対（５２）とを含む光送受信機（１０）を含む単一光ファイバーと、
マルチポートネットワークハブコントローラ（２２０）および複数の前記単一光ファイバーであって、前記第１アビオニクスユニットが、前記単一光ファイバーのうちの１本を用いて前記マルチポートネットワークハブコントローラに光接続されており、かつ、前記第２アビオニクスユニットが、前記単一光ファイバーのうちの１本を用いて前記マルチポートネットワークハブコントローラに光接続されているマルチポートネットワークハブコントローラ（２２０）および複数の前記単一光ファイバーと
を含む航空機ネットワーク。
（態様１４）
前記第１光送信機（３０）−受信機対（３２）が第１フィルター（２０）を含み、前記第１フィルターが、前記第１光送信機−受信機対の送信部からの光信号を通し、前記第１光送信機−受信機対の受信部へ第１波長の光信号を通し、第２波長の光信号が前記第１光送信機−受信機対の受信部に当たるのを防ぐよう構成されており、かつ、
前記第２光送信機（５０）−受信機対（５２）が第２フィルター（４０）を含み、前記第２フィルターが、前記第２光送信機−受信機対の送信部からの光信号を通し、前記第２光送信機−受信機対の受信部へ第２波長の光信号を通し、第１波長の光信号が前記第２光送信機−受信機対の受信部に当たるのを防ぐよう構成されている、
態様１３に記載の航空機ネットワーク。
（態様１５）
前記光送受信機（１０）の各々が、
前記第１光送信機（３０）−受信機対（３２）および前記第２光送信機（５０）−受信機対（５２）から受信された光信号を合成して、前記単一光ファイバーへの出力とし、
前記単一光ファイバーから受信された信号を２本の別々の光路へと分離する
よう構成されている光結合器（１２）を含む、態様１３に記載の航空機ネットワーク。
（態様１６）
前記第１アビオニクスユニットおよび前記第２アビオニクスユニットの各々が、二重化された通信経路を提供する複数の前記光インタフェースを含み、各通信経路が単一光ファイバーにわたって設けられている、態様１３に記載の航空機ネットワーク。
（態様１７）
前記第１アビオニクスユニットおよび前記第２アビオニクスユニットが、第１波長で前記単一光ファイバーにより前記アビオニクスユニットのそれぞれと関連付けられたアプリケーションデータ（１３０）を送受信するよう構成されている、態様１３に記載の航空機ネットワーク。
（態様１８）
前記第１アビオニックユニットおよび前記第２アビオニックユニットの少なくとも一方にコンフィギュレーションデータを提供するよう構成されたコンフィギュレーションデータ（１３２）ユニットをさらに含み、前記コンフィギュレーションデータユニットが、第２波長で前記単一光ファイバーを通してコンフィギュレーションデータを提供するよう構成されている、態様１７に記載の航空機ネットワーク。
（態様１９）
前記第１アビオニックユニットおよび前記第２アビオニックユニットの少なくとも一方から健康維持データを受信するよう構成された健康維持データ（１３４）ユニットをさらに含み、前記健康維持ユニットが、第２波長で前記単一光ファイバーを通して健康維持データを受信するよう構成されている、態様１７に記載の航空機ネットワーク。
（態様２０）
各々が複数の光インタフェースを含む複数のハブと、
各々が少なくとも１つの光インタフェースを含む複数のモジュールであって、前記モジュールの各々が、前記ハブの少なくとも２つに光結合されており、前記光インタフェースの各々が、第１波長での通信用に構成された第１光送信機（３０）−受信機対（３２）と、第２波長での通信用に構成された第２光送信機（５０）−受信機対（５２）とを含む光送受信機（１０）を含む複数のモジュールと
を含む通信システム。
（態様２１）
前記モジュールの各々が、前記ハブの１つ以上を介してその他の前記モジュールの各々と通信するよう構成されている、態様２０に記載の通信システム。